(57)【特許請求の範囲】
【請求項１】
第１および第２の高圧放電ランプを光源とし、これら第１および第２の高圧放電ランプの出射光の光路上に配された複数の色セグメントを有するカラーホイールと、当該カラーホイールを回転駆動する回転駆動部とを備えたプロジェクタ装置であって、
前記第１の高圧放電ランプに供給する第１の交流電流を、入力された制御信号に基づいて生成する第１の交流電流生成部と、
前記第２の高圧放電ランプに供給する第２の交流電流を、入力された制御信号に基づいて生成する第２の交流電流生成部と、
前記第１および第２の交流電流の周期が等しく、かつ位相がずれるように、前記第１および第２の交流電流生成部にそれぞれ制御信号を入力する制御部とを備え、
前記制御部は、
前記第１および第２の交流電流におけるそれぞれの半周期中の一部区間の電流値を、半周期中のそれ以外の区間の電流値よりも大きくし、
前記第１の交流電流の一部区間と前記第２の交流電流の一部区間とが重複しないように位相をずらすとともに、
前記第１の交流電流の正負の切り替えタイミングを、前記カラーホイールの色が２以上の所定の回数切り替わるタイミングに一致させ、
前記第２の交流電流の正負の切り替えタイミングを、前記カラーホイールの色が前記所定の回数と同じ回数切り替わり、かつ、前記第１の交流電流の正負が切り替わるタイミングと異なるタイミングに一致させる
ことを特徴とするプロジェクタ装置。
【請求項２】
前記制御部は、
前記第１および第２の交流電流の正負の切り替えタイミングは、正電流の期間と負電流の期間とが一致するタイミングに定められていることを特徴とする
ことを特徴とする請求項１に記載のプロジェクタ装置。
【請求項３】
複数の色セグメントを有し、回転駆動されるカラーホイールを備えたプロジェクタにおいて、光源として用いられる第１および第２の高圧放電ランプに交流電流を供給して点灯させる点灯装置であって、
前記第１の高圧放電ランプに供給する第１の交流電流を制御信号に基づいて生成する第１の交流電流生成部と、
前記第２の高圧放電ランプに供給する第２の交流電流を制御信号に基づいて生成する第２の交流電流生成部と、
前記第１および第２の交流電流の周期が等しく、かつ位相がずれるように、前記第１および第２の交流電流生成部にそれぞれ制御信号を入力する制御部とを備え、
前記制御部は、
前記第１および第２の交流電流におけるそれぞれの半周期中の一部区間の電流値を、半周期中のそれ以外の区間の電流値よりも大きくし、
前記第１の交流電流の一部区間と前記第２の交流電流の一部区間とが重複しないように位相をずらすとともに、
前記第１の交流電流の正負の切り替えタイミングを、前記カラーホイールの色が２以上の所定の回数切り替わるタイミングに一致させ、
前記第２の交流電流の正負の切り替えタイミングを、前記カラーホイールの色が前記所定の回数と同じ回数切り替わり、かつ、前記第１の交流電流の正負が切り替わるタイミングと異なるタイミングに一致させる
ことを特徴とする高圧放電ランプの点灯装置。
【請求項４】
複数の色セグメントを有し、回転駆動されるカラーホイールを備えたプロジェクタにおいて、光源として用いられる第１および第２の高圧放電ランプのうち、第１の高圧放電ランプに供給する第１の交流電流を制御信号に基づいて生成する第１の交流電流生成部と、第２の高圧放電ランプに供給する第２の交流電流を制御信号に基づいて生成する第２の交流電流生成部と、前記第１および第２の交流電流生成部を制御する制御部とを備えた点灯装置による高圧放電ランプの点灯方法であって、
前記制御部が、
前記第１および第２の交流電流の周期が等しく、かつ位相がずれるように、前記第１および第２の交流電流生成部にそれぞれ制御信号を入力するとともに、
前記第１および第２の交流電流におけるそれぞれの半周期中の一部区間の電流値を、半周期中のそれ以外の区間の電流値よりも大きくし、
前記第１の交流電流の一部区間と前記第２の交流電流の一部区間とが重複しないように位相をずらし、
さらに、前記第１の交流電流の正負の切り替えタイミングを、前記カラーホイールの色が２以上の所定の回数切り替わるタイミングに一致させ、
前記第２の交流電流の正負の切り替えタイミングを、前記カラーホイールの色が前記所定の回数と同じ回数切り替わり、かつ、前記第１の交流電流の正負が切り替わるタイミングと異なるタイミングに一致させる
ことを特徴とする高圧放電ランプの点灯方法。
【発明の詳細な説明】
【技術分野】
【０００１】
本発明は、主に２灯式の、高圧放電ランプを光源とするプロジェクタ装置、これに用いられる高圧放電ランプの点灯装置、および高圧放電ランプの点灯方法に関する。
【背景技術】
【０００２】
近年、プロジェクタ装置は、ホールや映画館などで利用されている。ホールや映画館などの大型スクリーンに対して、１灯式だと必要な照度が得られないときには、２灯式のプロジェクタ装置が使われている（例えば、特許文献１）。
【０００３】
２灯式のプロジェクタ装置は、光源となる２つの高圧放電ランプと、高圧放電ランプ毎に設けられ、対応する高圧放電ランプを点灯させる点灯装置とを備えている。点灯装置は、高圧放電ランプに供給する矩形波の交流電流を入力された制御信号に基づいて生成する交流電流生成部と、交流電流生成部に制御信号を入力して制御する制御部とを有する。各制御部はそれぞれ内部クロックを有し、この内部クロックに基づいて制御信号を生成する。
【０００４】
このような２灯式のプロジェクタ装置では、２つの高圧放電ランプに供給する交流電流の制御方法として、従来、２つの交流電流の位相を合わせるよう同期をとる同期制御か、または、２つの交流電流の位相の同期をとらない非同期制御が用いられている。
【０００５】
また、２灯式のプロジェクタ装置は、一般的に、２つの交流電流が同じ周期になるよう設定されるが、位相の同期をとらない非同期制御を用いたときには、次の理由で、２つの交流電流が同じ周期にならない場合がある。
【０００６】
プロジェクタ装置の各制御部が有する内部クロックの周期は、動作環境の変化等により変動することがある。各制御部間において、この内部クロックの周期の変動量が同じであるとは限らない。このため、２つの交流電流を同じ周期に設定しようとしても、各内部クロックの周期の変動量に差が生じたときには、非同期だと、変動量の差により生成される交流電流の周期が異なってしまうのである。
【先行技術文献】
【特許文献】
【０００７】
【特許文献１】特開２０１０−８６２７号公報
【発明の概要】
【発明が解決しようとする課題】
【０００８】
ところで、高圧放電ランプに矩形波の交流電流を供給すると、交流電流の正負の切り替えタイミングで、ランプの光束が変化することが知られている。このランプの光束の変化は、交流電流の正負の切り替えタイミングで、電流値が瞬間的に０［Ａ］になることから生じている。
【０００９】
ここで、上記従来の２灯式のプロジェクタ装置において、２つのランプに供給する交流電流の位相を合わせる同期制御を用いると、交流電流の正負の切り替えタイミングが重なるために、２つのランプにおける光束の変化が重複して発生し、プロジェクタ装置全体の光束が大きく変化する。
【００１０】
一方、位相の同期をとらない非同期制御を用いると、ほとんどの場合、２つの交流電流の正負の切り替えタイミングがずれている。２つの交流電流の正負の切り替えタイミングがずれているときには、２つのランプにおける光束の変化が重複しないので、位相を合わせる同期制御を用いた場合と比べて、プロジェクタ装置全体における光束の変化が抑制される。具体的には、プロジェクタ装置全体の光束の変化は、１つのランプにおける光束の変化分だけになるので、位相を合わせる同期制御を用いた場合における光束の変化の半分程度に抑制される。しかしながら、非同期制御を用いたとしても、上記したように、２つの交流電流の周期が異なる場合には、各周期の最小公倍数の時間間隔毎に、２つの交流電流の正負の切り替えタイミングが重なってしまう。このときには、位相を合わせる同期制御と同様、２つのランプにおける光束の変化が重複して発生するので、プロジェクタ装置全体の光束が大きく変化する。
【００１１】
本発明は、このような事情に鑑みてなされたものであって、従来よりも光束の変化を抑制できるプロジェクタ装置、これに用いられる高圧放電ランプの点灯装置、および高圧放電ランプの点灯方法を提供することを目的としている。
【課題を解決するための手段】
【００１２】
本発明に係るプロジェクタ装置は、第１および第２の高圧放電ランプを光源とし、これら第１および第２の高圧放電ランプの出射光の光路上に配された複数の色セグメントを有するカラーホイールと、当該カラーホイールを回転駆動する回転駆動部と、前記第１の高圧放電ランプに供給する第１の交流電流を、入力された制御信号に基づいて生成する第１の交流電流生成部と、前記第２の高圧放電ランプに供給する第２の交流電流を、入力された制御信号に基づいて生成する第２の交流電流生成部と、前記第１および第２の交流電流の周期が等しく、かつ位相がずれるように、前記第１および第２の交流電流生成部にそれぞれ制御信号を入力する制御部とを備え、前記制御部は、前記第１および第２の交流電流におけるそれぞれの半周期中の一部区間の電流値を、半周期中のそれ以外の区間の電流値よりも大きくし、前記第１の交流電流の一部区間と前記第２の交流電流の一部区間とが重複しないように位相をずらすとともに、前記第１の交流電流の正負の切り替えタイミングを、前記カラーホイールの色が２以上の所定の回数切り替わるタイミングに一致させ、前記第２の交流電流の正負の切り替えタイミングを、前記カラーホイールの色が前記所定の回数と同じ回数切り替わり、かつ、前記第１の交流電流の正負が切り替わるタイミングと異なるタイミングに一致させることを特徴とする。
【００１３】
また、本発明に係る高圧放電ランプの点灯装置は、第１および第２の高圧放電ランプに交流電流を供給して点灯させるものであり、前記第１の高圧放電ランプに供給する第１の交流電流を制御信号に基づいて生成する第１の交流電流生成部と、前記第２の高圧放電ランプに供給する第２の交流電流を制御信号に基づいて生成する第２の交流電流生成部と、前記第１および第２の交流電流の周期が等しく、かつ位相がずれるように、前記第１および第２の交流電流生成部にそれぞれ制御信号を供給する制御部とを備えることを特徴とする。
【００１４】
また、本発明に係る高圧放電ランプの点灯方法は、第１の高圧放電ランプに供給する第１の交流電流を制御信号に基づいて生成する第１の交流電流生成部と、第２の高圧放電ランプに供給する第２の交流電流を制御信号に基づいて生成する第２の交流電流生成部と、前記第１および第２の交流電流生成部を制御する制御部とを備えた点灯装置により点灯させる方法であって、前記制御部が、前記第１および第２の交流電流の周期が等しく、かつ位相がずれるように、前記第１および第２の交流電流生成部にそれぞれ制御信号を供給することを特徴とする。
【発明の効果】
【００１５】
上記構成のプロジェクタ装置では、制御部が、第１の交流電流と第２の交流電流との周期が等しく、かつ位相がずれるように制御している。すなわち、制御部は、第１の交流電流と第２の交流電流との位相が常にずれた状態になるよう、第１の交流電流と第２の交流電流との同期をとっている。
【００１６】
これにより、第１の交流電流と第２の交流電流との正負の切り替えタイミングが、常にずれるようになる。したがって、第１の高圧放電ランプの光束の変化と、第２の高圧放電ランプの光束の変化とが重複して発生することがないので、上記従来の第１または第２の制御方法と比べた場合に、プロジェクタ装置全体の光束における変化を抑制することができる。
【００１７】
また、上記構成の高圧放電ランプの点灯装置では、上記プロジェクタ装置と同様、第１の高圧放電ランプの光束の変化と、第２の高圧放電ランプの光束の変化とが重複して発生することがないので、第１および第２の高圧放電ランプの全光束における変化を抑制することができる。
【００１８】
また、上記構成の高圧放電ランプの点灯方法は、上記高圧放電ランプの点灯装置と同様の効果を得ることができる。
【図面の簡単な説明】
【００１９】
【図１】第１の実施形態に係る２灯式のプロジェクタ装置の構成を示す機能ブロック図である。
【図２】第１の実施形態に係る制御信号、ランプ電流およびランプの光束を示すタイミングチャートである。
【図３】プロジェクタ装置の光束の変化をオシロスコープで観測した結果を示す図である。
【図４】第２の実施形態に係る制御信号、ランプ電流およびランプの光束を示すタイミングチャートである。
【図５】プロジェクタ装置の光束の変化をオシロスコープで観測した結果を示す図である。
【図６】第３の実施形態に係る２灯式のプロジェクタ装置の構成を示す機能ブロック図である。
【図７】第３の実施形態に係る制御信号、ランプ電流およびランプの光束を示すタイミングチャートである。
【図８】変形例に係る交流電流の波形を示す図である。
【図９】変形例に係る交流電流の波形を示す図である。
【発明を実施するための形態】
【００２０】
本発明を実施するための形態を、図面を参照して詳細に説明する。
［第１の実施形態］
＜構成＞
図１は、本発明の第１の実施形態に係る２灯式のプロジェクタ装置の構成を示す機能ブロック図である。
【００２１】
プロジェクタ装置１００は、ＤＣ電源回路１０１、交流電流生成部１０２ａ、１０２ｂ、ランプ１０３ａ、１０３ｂ、光学ユニット１０４、冷却ファン１０５および制御部１０６を備える。
【００２２】
ＤＣ電源回路１０１は、例えば、ダイオードブリッジと平滑コンデンサから構成され、５０［Ｈｚ］または６０［Ｈｚ］の交流電力を直流電力に整流平滑する。
交流電流生成部１０２ａは、ＤＣ／ＤＣコンバータ１１ａおよびＤＣ／ＡＣインバータ１２ａを備える。ＤＣ／ＤＣコンバータ１１ａは、制御信号ＣＮ５に基づく大きさの直流電流を出力する。ＤＣ／ＡＣインバータ１２ａは、制御信号ＣＮ１に基づく周波数および位相の交流電流を出力する。ＤＣ／ＤＣコンバータ１１ａとＤＣ／ＡＣインバータ１２ａが縦続接続されているので、交流電流生成部１０２ａでは、制御信号ＣＮ１、ＣＮ５に基づく大きさ、周波数および位相の交流電流が生成されることになる。
【００２３】
交流電流生成部１０２ｂは、交流電流生成部１０２ａと同様の構成を備える。これにより、交流電流生成部１０２ｂでは、制御信号ＣＮ２、ＣＮ６に基づく大きさ、周波数および位相の交流電流が生成されることになる。
【００２４】
ランプ１０３ａ、１０３ｂには、同じ定格電力の高圧放電ランプが用いられている。
ランプ１０３ａ、１０３ｂのそれぞれは、凹状の反射鏡の内側に配置されていて、当該反射鏡とともにランプユニットを構成する。これら２つのランプユニットは、反射鏡の開口部が対向するように対向配置されている。また、ランプ１０３ａ、１０３ｂの光は、反射鏡で反射して集光される。なお、図１では、簡単のため、ランプユニットを省略して、その構成要素であるランプ１０３ａ、１０３ｂだけを表している。また、図１は、ランプ１０３ａ、１０３ｂなど各構成要素の配置関係をイメージ的に示したものであり、実際の配置関係を正確に示したものではない。
【００２５】
光学ユニット１０４は、集光器２１、ミラー群２２、液晶パネル２３ａ、２３ｂ、２３ｃ、プリズム２４、投射レンズ２５を備える。集光器２１は、例えば、合成プリズムと、ロッドインテグレータとからなる。合成プリズムは、対向配置されたランプ１０３ａ、１０３ｂ間に配置され、ランプ１０３ａ、１０３ｂからの光をそれぞれ屈折させて集光（合成）し、ロッドインテグレータに入射させる。ロッドインテグレータは、入射した光を、多重反射させることにより、その光強度分布を均一化する。
【００２６】
ミラー群２２は、例えば、ダイクロイックミラーからなり、白色光を赤、緑、青の各色に分離する。液晶パネル２３ａ、２３ｂ、２３ｃは透過型パネルであり、それぞれ制御信号に基づいて、赤、緑、青の映像を作り出す。プリズム２４は、各液晶パネルにより作り出された各色の映像を合成する。投射レンズ２５は、合成された映像を外部に出力する。
【００２７】
冷却ファン１０５は、ランプ１０３ａ、１０３ｂを冷却するために設けられている。
制御部１０６は、電流検出部３１ａ、３１ｂ、電圧検出部３２ａ、３２ｂ、電力演算部３３ａ、３３ｂ、比較部３４ａ、３４ｂ、ＰＷＭ信号生成部３５ａ、３５ｂ、マイコン３６を備える。
【００２８】
電流検出部３１ａは、ＤＣ／ＤＣコンバータ１１ａからＤＣ／ＡＣインバータ１２ａに流れる直流電流を所定周期でサンプリングして出力する。電流検出部３１ａで検出される直流電流は、ランプ１０３ａに供給されるランプ電流に相当する。
【００２９】
電圧検出部３２ａは、ＤＣ／ＤＣコンバータ１１ａの出力電圧を所定周期でサンプリングして出力する。電圧検出部３２ａで検出される直流電圧は、ランプ１０３ａに印加されるランプ電圧に相当する。
【００３０】
電力演算部３３ａは、所定周期で、検出された直流電流と直流電圧を乗算して直流電力を得る。この直流電力は、ランプ１０３ａに供給されるランプ電力に相当する。
比較部３４ａは、所定周期で、制御信号ＣＮ３で示される目標電力と現在の直流電力との差分を得る。
【００３１】
ＰＷＭ信号生成部３５ａは、比較部３４ａで得られた目標電力と現在の直流電力との差分が小さくなるように、ＤＣ／ＤＣコンバータ１１ａをＰＷＭ制御するための制御信号ＣＮ５を生成する。
【００３２】
上記の電流検出部３１ａ、電圧検出部３２ａ、電力演算部３３ａ、比較部３４ａ、ＰＷＭ信号生成部３５ａによりフィードバック回路が構成されている。これにより、ＤＣ／ＤＣコンバータ１１ａから出力される直流電流の大きさが、ランプ１０３ａに供給される電力が目標電力になるように適宜調整されることになる。
【００３３】
同様に、電流検出部３１ｂ、電圧検出部３２ｂ、電力演算部３３ｂ、比較部３４ｂ、ＰＷＭ信号生成部３５ｂによりフィードバック回路が構成されている。これにより、ＤＣ／ＤＣコンバータ１１ｂから出力される直流電流の大きさが、ランプ１０３ｂに供給される電力が目標電力になるように適宜調整されることになる。
【００３４】
マイコン３６は、内部クロックおよびメモリに記憶されたデータに基づいて制御信号ＣＮ１、ＣＮ２、ＣＮ３、ＣＮ４を生成する機能、冷却ファン１０５を駆動する機能、外部入力された映像信号に基づいて液晶パネル２３ａ、２３ｂ、２３ｃを駆動する機能を有する。
【００３５】
上記構成からなる交流電流生成部１０２ａ、１０２ｂおよび制御部１０６が、ランプ１０３ａ、１０３ｂに交流電流を供給して点灯させる点灯装置として機能する。
＜波形＞
図２は、第１の実施形態に係る制御信号、ランプ電流およびランプの光束を示すタイミングチャートである。
【００３６】
内部クロックＣＬＫは、マイコン３６に内蔵されたクロックの出力信号である。
制御信号ＣＮ１は、マイコン３６において、内部クロックＣＬＫをカウンタでカウントして分周することにより生成される。ＤＣ／ＡＣインバータ１２ａは、制御信号ＣＮ１がハイレベルのときに正電流を流し、制御信号ＣＮ１がローレベルのときに負電流を流す。したがって、制御信号ＣＮ１の周期および位相は、ランプ１０３ａに供給される交流電流の周期および位相に一致する（ランプ電流ｌａ１参照）。例えば、交流電流の周期を１０［ｍｓ］（周波数では１００［Ｈｚ］）にする場合には、制御信号ＣＮ１の周期が１０［ｍｓ］になるようにカウンタが設定される。
【００３７】
制御信号ＣＮ２も、マイコン３６において、内部クロックＣＬＫをカウンタでカウントして分周することにより生成される。そして、制御信号ＣＮ２の周期および位相は、ランプ１０３ｂに供給される交流電流の周期および位相に一致する（ランプ電流ｌａ２参照）。
【００３８】
ここで、制御信号ＣＮ１と制御信号ＣＮ２では、周期が等しく、位相が１２０［°］ずれるように調整されている。制御信号ＣＮ１と制御信号ＣＮ２とは、同一の内部クロックＣＬＫに基づいて生成されるので同期していると言える。
【００３９】
図２に示すように、制御信号ＣＮ１、ＣＮ２を用いてランプ１０３ａ、１０３ｂを交流点灯させると、ランプ電流ｌａ１，ｌａ２の正負の切り替えタイミングでランプの光束が変化してしまう。この例では、ランプ１０３ａ、１０３ｂの変化率を２０［％］としている。しかしながら、制御信号ＣＮ１、ＣＮ２の位相をずらしているため、ランプ電流ｌａ１，ｌａ２の正負の切り替えタイミングが重複することはなく、光束の変化がずれて発生することになる。そのため、ランプ１０３ａ、１０３ｂの全体の光束としては、変化がずれて発生するので、変化率が１０［％］に抑えられることになる。
【００４０】
これに対し、制御信号ＣＮ１、ＣＮ２の位相がずれていなければ、ランプ電流ｌａ１，ｌａ２の正負の切り替えタイミングが重複することになり、光束の変化が重複して発生することになる。そのため、図２の比較例に示すように、ランプ１０３ａ、１０３ｂの全体の光束としては、変化率が２０［％］となる。
【００４１】
このように、本実施形態によれば、ランプ１０３ａ、１０３ｂに供給される交流電流の周期が等しく、かつ、位相がずれるように制御されているので、ランプ１０３ａ、１０３ｂ全体の光束における変化を抑制することができる。
【００４２】
なお、交流電流の正負の切り替えタイミングをずらすには、単に交流電流を非同期で生成することも考えられる。しかしながら、非同期であれば、動作環境の変化等により交流電流の周期が変動したとき、その変動量が同じである保証はない。そのため、周期の変動量のわずかな差により、それぞれの交流電流の正負の切り替えタイミングが時間とともにずれていき、各交流電流の周期の最小公倍数の時間間隔毎に、正負の切り替えタイミングが一致するということが生じ得る。
【００４３】
これに対し、本実施形態では、ランプ１０３ａ、１０３ｂに供給される交流電流は、同一の内部クロックＣＬＫに基づいて生成されている。そのため、動作環境の変化等により内部クロックＣＬＫの周期が変動したとしても、それぞれの交流電流は同一の影響を受けて同じ量だけ変動することになる。したがって、それぞれの交流電流の正負の切り替えタイミングが一致することはない。
【００４４】
＜実証＞
次に、第１の実施形態に係る２灯式のプロジェクタ装置における光束の変化を抑制する効果を実証した実験結果について説明する。
【００４５】
本実証実験では、ランプ１０３ａ、１０３ｂに供給する交流電流の周期が等しく、かつ位相差が異なる２つの実施例および２つの比較例としての４つのプロジェクタ装置１００を用意し、それぞれの光束の変化を確認した。
【００４６】
実施例１，２の位相差は、１２０［°］、１９５［°］とし、交流電流の正負の切り替えタイミングが重複しない設定とされている。比較例１，２の位相差は、０［°］、１８０［°］とし、交流電流の正負の切り替えタイミングが重複するよう設定されている。各交流電流の周期は１０［ｍｓ］（周波数では１００［Ｈｚ］）、電流値は４［Ａ］である。また、ランプ１０３ａ、１０３ｂには、それぞれ定格ランプ電力３００［Ｗ］の高圧放電ランプを用いた。
【００４７】
そして、本実証実験では、具体的には、実施例および比較例の各プロジェクタ装置１００からスクリーンに投射した光を、照度計を用いて所定時間測定し、測定した照度データ（出力電圧）の変化をオシロスコープを介して観測した。これは、照度が、単位面積あたりに入射する光束の量を示す物理量であるので、照度データの変化を、光束の変化として捉えることができるからである。
【００４８】
図３（ａ）〜（ｄ）は、オシロスコープで観測した結果を示す図である。
図３（ａ）〜（ｄ）には、実施例および比較例における照度データの変化と、ランプ電流ｌａ１，ｌａ２の波形とが、それぞれ示されている。各図の横軸が時間［ｍｓ］、縦軸が出力電圧値［ｍＶ］および電流値［Ａ］を示している。また、各図における、ランプ電流ｌａ１，ｌａ２の波形の乱れ（正負の切り替え直後）は、オーバーシュートによるものである。
【００４９】
図３（ａ）に示すように、実施例１では、ランプ電流ｌａ１，ｌａ２の正負の切り替えタイミングを除いたときの照度データの通常値Ｖｓｔ（以下、単に照度データの通常値Ｖｓｔという）が４９６．６［ｍＶ］であり、正負の切り替えタイミングにおける照度データの最小値Ｖｌｏｗ（以下、単に照度データの最小値Ｖｌｏｗという）が４３８．０［ｍＶ］である。よって、ランプ電流ｌａ１，ｌａ２の正負の切り替えタイミングにおいて、照度データは５８．６［ｍＶ］低下（変化）し、変化率が１１．８［％］である。
【００５０】
また、図３（ｂ）に示すように、実施例２では、照度データの通常値Ｖｓｔが４９６．６［ｍＶ］、照度データの最小値Ｖｌｏｗが４３８．０［ｍＶ］、照度データの低下（変化）が５８．６［ｍＶ］、変化率が１１．８［％］である。
【００５１】
図３（ｃ）および（ｄ）に示すように、比較例１，２では、それぞれ照度データの通常値Ｖｓｔが４９６．６［ｍＶ］、照度データの最小値Ｖｌｏｗが３８２．０［ｍＶ］、照度データの低下（変化）が１１４．６［ｍＶ］、変化率が２３．１［％］である。
【００５２】
実施例１，２と比較例１，２とを比べると、実施例１，２の照度データの変化率（１１．８［％］）は、ともに比較例１，２の照度データの変化率（２３．１［％］）の約半分と低い。このように、ランプ電流ｌａ１，ｌａ２の正負の切り替えタイミングが重複しない場合は、重複する場合と比べて、照度の変化、すなわち光束の変化を抑制することができることが分かる。
【００５３】
また、実施例１と実施例２とを比べると、照度データの変化率は変わらない。したがって、ランプ電流ｌａ１，ｌａ２の正負の切り替えタイミングが重複さえしていなければ、位相差が異なっても同等の効果が得られるといえる。
［第２の実施形態］
＜概略＞
次に、本発明の第２の実施形態について説明する。
【００５４】
第１の実施形態では、ランプに供給する交流電流の電流値が、半周期中一定である（図２に示すランプ電流ｌａ１，ｌａ２参照）のに対して、本実施形態では、交流電流の半周期中の一部区間の電流値を跳ね上げることにより、それ以外の区間の電流値より大きくする点が異なっている。それ以外は、第１の実施形態と同じであるので、本実施形態では、簡単のため、第１の実施形態に係るプロジェクタ装置１００を用いて説明する。
【００５５】
＜波形＞
図４は、第２の実施形態に係る制御信号、ランプ電流およびランプの光束を示すタイミングチャートである。
【００５６】
図４に示すように、ランプ電流ｌａ１，ｌａ２の半周期中における、正負の切り替え前の終期区間ｋ１の電流値Ｉ１が、他の区間ｋ２の電流値Ｉ２よりも大きくなるよう制御（以下、跳ね上げ制御という）されている。
【００５７】
このような電流値の跳ね上げ制御は、次のようにして行われている。なお、図２のタイミングチャートと同じ内容については、簡単のため説明を省略する。
ここでのマイコン３６には、基本情報として、ランプ電力の目標値となる、２つの電力値（高電力値Ｗ１、低電力値Ｗ２）が登録されている。
【００５８】
制御信号ＣＮ３，ＣＮ４は、それぞれランプ電力の目標値を示す信号である。
制御信号ＣＮ３は、マイコン３６において、内部クロックＣＬＫをカウンタでカウントして、ランプ電流ｌａ１の半周期に相当するカウント毎に、所定のカウントまでは低電力値Ｗ２、所定のカウント以降は高電力値Ｗ１になるように生成される。比較部３４ａは、制御信号ＣＮ３で示される目標電力と電力演算部３３ａで得た現在の直流電力との差分をＰＷＭ信号生成部３５ａに出力し、ＰＷＭ信号生成部３５ａが制御信号ＣＮ５を生成して、ＤＣ／ＤＣコンバータ１１ａから直流電流が出力される。こうして出力された電流の大きさは、制御信号ＣＮ３が低電力値Ｗ２のときに電流値Ｉ２であり、制御信号ＣＮ３が高電力値Ｗ１のときに電流値Ｉ１である。
【００５９】
制御信号ＣＮ４も、マイコン３６において、内部クロックＣＬＫをカウンタでカウントして、ランプ電流ｌａ２の半周期に相当するカウント毎に、所定のカウントまでは低電力値Ｗ２、所定のカウント以降は高電力値Ｗ１になるように生成される。比較部３４ｂは、制御信号ＣＮ４で示される目標電力と電力演算部３３ｂで得た現在の直流電力との差分をＰＷＭ信号生成部３５ｂに出力し、ＰＷＭ信号生成部３５ｂが制御信号ＣＮ６を生成して、ＤＣ／ＤＣコンバータ１１ｂから直流電流が出力される。こうして出力された電流の大きさは、制御信号ＣＮ４が低電力値Ｗ２のときに電流値Ｉ２であり、制御信号ＣＮ４が高電力値Ｗ１のときに電流値Ｉ１である。
【００６０】
本実施形態では、制御信号ＣＮ１と制御信号ＣＮ２とは、周期が等しく、位相が３０［°］ずれるように調整されている。これは、電流値Ｉ１である跳ね上げの時間長さ（終期区間ｋ１）が、１周期の１／２４、位相に換算すると１５［°］であり、ランプ電流ｌａ１，ｌａ２の跳ね上げタイミングが重複しないようにするためである。
【００６１】
図４に示すように、制御信号ＣＮ３、ＣＮ４を用いてランプ１０３ａ、１０３ｂを交流点灯させると、ランプ電流ｌａ１，ｌａ２の半周期中における終期区間ｋ１では、他の区間ｋ２と比べてランプの光束が増加し変化してしまう。この例では、ランプ１０３ａ、１０３ｂの変化率を５０［％］としている。しかしながら、制御信号ＣＮ３、ＣＮ４の位相をずらしているため、ランプ電流ｌａ１，ｌａ２の跳ね上げタイミングが重複することはなく、光束の変化がずれて発生することになる。そのため、ランプ１０３ａ、１０３ｂの全体の光束としては、変化がずれて発生するので、変化率が２５［％］に抑えられることになる。
【００６２】
これに対し、制御信号ＣＮ３、ＣＮ４の位相がずれていなければ、ランプ電流ｌａ１，ｌａ２の半周期中における終期区間ｋ１が重複することになり、光束の変化が重複して発生することになる。そのため、図４の比較例に示すように、ランプ１０３ａ、１０３ｂの全体の光束としては、変化率が５０［％］となる。
【００６３】
また、本実施形態においても、制御信号ＣＮ１、ＣＮ２の位相をずらしているので、ランプ１０３ａ、１０３ｂの全体としてみた場合に、ランプ電流ｌａ１，ｌａ２の正負の切り替えタイミングにおける光束の変化率を抑制することができる。
【００６４】
＜実証＞
次に、第２の実施形態に係る２灯式のプロジェクタ装置における光束の変化を抑制する効果を実証した実験結果について説明する。
【００６５】
本実証実験は、第１の実施形態の実証実験と同じ方法で光束の変化を確認した。
本実証実験でも、ランプ１０３ａ、１０３ｂに供給する交流電流の周期が等しく、かつ位相差が異なる２つの実施例および２つの比較例を用意した。
【００６６】
実施例３，４の位相差は、３０［°］、９０［°］とし、交流電流の正負の切り替えタイミングが重複しない設定とされている。比較例３，４の位相差は、０［°］、１８０［°］とし、交流電流の正負の切り替えタイミングが重複するよう設定されている。各交流電流の周期は１０［ｍｓ］（周波数では１００［Ｈｚ］）、電流値Ｉ１は８［Ａ］、電流値Ｉ２は４［Ａ］である。
【００６７】
図５（ａ）〜（ｄ）は、実施例および比較例をオシロスコープで観測した結果を示す図である。
図５（ａ）に示すように、実施例３では、ランプ電流ｌａ１，ｌａ２の跳ね上げタイミングを除いたときの照度データの通常値Ｖｓｔが４７２．０［ｍＶ］であり、跳ね上げタイミングにおける照度データの最大値Ｖｈｉｇｈ（以下、単に照度データの最大値Ｖｈｉｇｈという）が６０１．１［ｍＶ］である。よって、ランプ電流ｌａ１，ｌａ２の跳ね上げタイミングにおいて、照度データは１２９．１［ｍＶ］増加（変化）し、変化率が２７．４［％］である。
【００６８】
また、図５（ｂ）に示すように、実施例４では、照度データの通常値Ｖｓｔが４７２．０［ｍＶ］、照度データの最大値Ｖｈｉｇｈが６０５．１［ｍＶ］、照度データの増加（変化）が１３３．１［ｍＶ］、変化率が２８．２［％］である。
【００６９】
図５（ｃ）に示すように、比較例３では、照度データの通常値Ｖｓｔが４７２．０［ｍＶ］、照度データの最大値Ｖｈｉｇｈが７３７．１［ｍＶ］、照度データの増加（変化）が２６５．１［ｍＶ］、変化率が５６．２［％］である。
【００７０】
図５（ｄ）に示すように、比較例４では、照度データの通常値Ｖｓｔが４７２．０［ｍＶ］、照度データの最大値Ｖｈｉｇｈが７２９．１［ｍＶ］、照度データの増加（変化）が２５７．１［ｍＶ］、変化率が５４．５［％］である。
【００７１】
実施例３，４と比較例３，４とを比べると、実施例３，４の照度データの変化率（２７．４［％］、２８．２［％］）は、ともに比較例３，４の照度データの変化率（５６．２［％］、５４．５［％］）の約半分と低い。このように、ランプ電流ｌａ１，ｌａ２の跳ね上げタイミングが重複しない場合は、重複する場合と比べて、照度の変化、すなわち光束の変化を抑制することができることが分かる。
【００７２】
実施例３と実施例４とを比べると、照度データの変化率はほんど変わらない。したがって、ランプ電流ｌａ１，ｌａ２の跳ね上げタイミングが重複さえしていなければ、位相差が異なっても同等の効果が得られるといえる。
【００７３】
以上、本実施形態におけるランプ全体の光束の変化の抑制効果について説明したが、本実施形態では、この光束の変化の抑制効果以外にも、ランプ電流の跳ね上げタイミングが重複しないことの効果として、ランプの長寿命化が図れる。
【００７４】
このランプの長寿命化について、以下に詳しく説明する。
＜ランプの長寿命化について＞
ここでは、先ず、ランプ１０３ａ、１０３ｂの構成について詳しく説明しておく。なお、ランプ１０３ａ、１０３ｂをまとめて説明するときには「ランプ１０３」という。
【００７５】
ランプ１０３は、内部に、発光物質としての水銀が封入され、かつタングステン製の一対の電極が互いに略対向するように配置された発光管を備え、一対の電極間にアーク放電を発生させて光を出射するように構成されている。
【００７６】
一対の電極間におけるアーク放電は、交流電流の正負の切り替えタイミングにおいて瞬間的に止まり（電流値が０［Ａ］のとき）、そして放電方向が切り替わる。この放電方向が切り替わるとき、各電極の先端部分に形成された、アーク放電の起点（以下、アーク起点という）が当該先端部分において移動する場合があり、そのため、アーク放電が乱れ易い。
【００７７】
アーク起点は、各電極の先端部分であってかつ高温度部分に形成される。上記跳ね上げ制御は、交流電流の正負の切り替え前、すなわち放電方向の切り替え前に、供給する電流値を一時的に大きくすることにより、各電極のアーク起点が形成された箇所の温度を高めて、正負の切り替え後のアーク起点が、切り替え前のアーク起点と同じ箇所に形成されることを狙った制御であり、従来より用いられているものである。これにより、アーク起点が移動するのを抑制でき、アーク放電を安定化できるとされている。
【００７８】
このようなランプ１０３は、一対の電極間距離を近づけることよって点光源に近づけることができる。よって、ランプ１０３を点光源に近づけるほど、ランプの光を凹状の反射鏡で反射して集光するプロジェクタ装置１００においては、その集光効率を高めることができる。
【００７９】
ところが、ランプ１０３では、その累積点灯時間の経過に伴い、一対の電極の先端部分が徐々に損耗して、その電極間距離が拡大してしまう。そのため、プロジェクタ装置１００では、電極間距離の拡大に伴い反射鏡による集光効率が低下し、その結果、プロジェクタ装置１００から出射される光束が低下する。この光束の低下が進行するとランプ１０３が寿命とみなされる。
【００８０】
本実施形態において、プロジェクタ装置１００では、ランプ１０３ａ、１０３ｂが対向配置されており、ランプ１０３ａ、１０３ｂの光が、凹状の反射鏡により集光され、ランプ１０３ａ、１０３ｂ間に配置された、集光器２１を構成する合成プリズムに向けて出射される（第１の実施形態の＜構成＞欄を参照）。
【００８１】
しかしながら、ランプ１０３ａから合成プリズムに向けて出射された光の一部は、合成プリズムを透過し、そのまま対向するランプ１０３ｂ側の反射鏡内に入射する。そして、反射鏡内に入射した光は、当該反射鏡で反射してランプ１０３ｂに向けて集光されるので、当該光の一部がランプ１０３ｂに到達する場合がある。そのため、到達した光のエネルギーにより、ランプ１０３ｂの温度が上昇し、もって、ランプ１０３ｂの電極の温度も上昇してしまう。特に、跳ね上げ制御によりランプ１０３ａに供給する電流値を大きくしたときには、その分、ランプ光束が高くなるので、ランプ１０３ｂに到達する光の量が多くなって、ランプ１０３ｂの電極の温度がより上昇するようになる。ランプ１０３ｂにおいても、ランプ１０３ａと同様、ランプ１０３ｂから出射された光の一部が、ランプ１０３ａに到達して、ランプ１０３ａの電極の温度を上昇させる。
【００８２】
したがって、プロジェクタ装置１００において、ランプ１０３ａ、１０３ｂに供給する電流値の跳ね上げタイミングが重複する場合には、ランプ１０３ａ、１０３ｂの電極は、当該跳ね上げタイミングにおいて、供給する電流値が大きくなることで温度上昇するのに加え、対向するランプから到達する光の量が多くなることで、さらに温度上昇するようになる。このため、跳ね上げタイミングに、電極の損耗が特に激しくなり、電極間距離の拡大が進行して、ランプ寿命が短くなる。
【００８３】
これに対して、本実施形態のように跳ね上げタイミングが重複しない場合は、ランプ１０３ａ、１０３ｂの電極において、供給される電流値が大きくなることで温度上昇するタイミングと、対向するランプから到達する光の量が多くなることで温度上昇するタイミングとがずれるので、当該２つのタイミングが重なる場合と比べて、電極の温度上昇を抑制することができる。こうして、ランプの電極の温度上昇を抑制することにより、跳ね上げタイミングが重複する場合よりも、電極が損耗するのを抑制でき、その結果として、ランプの長寿命化が図れるのである。
【００８４】
本発明者らによると、具体的に、例えば、２灯式のプロジェクタ装置において、跳ね上げタイミングが重複する場合に、累積点灯時間２０００［ｈ］においてプロジェクタ装置から出射される光束の維持率が５０［％］程度に低下するものであっても、跳ね上げタイミングをずらして重複しないようにすることで、累積点灯時間２０００［ｈ］でのプロジェクタ装置から出射される光束の維持率を７０［％］程度に維持できることが分かった。
【００８５】
なお、ここでの光束の維持率［％］は、点灯開始時点（累積点灯時間０［ｈ］）における光束を基準（１００［％］）としている。
このように、跳ね上げタイミングが重複しない場合には、重複する場合と比べて、プロジェクタ装置から出射される光束の維持率の低下が抑制されているので、ランプの長寿命化が図られていると言える。
［第３の実施形態］
＜構成＞
図６は、本発明の第３の実施形態に係る２灯式のプロジェクタ装置の構成を示す機能ブロック図である。
【００８６】
第１の実施形態のプロジェクタ装置１００は、３枚の液晶パネル２３ａ、２３ｂ、２３ｃを有する、いわゆる３板式のＬＣＤプロジェクタ装置である。これに対して、本実施形態のプロジェクタ装置２００は、１枚のＤＭＤ（Ｄｉｇｉｔａｌ  Ｍｉｃｒｏｍｉｒｒｏｒ  Ｄｅｖｉｃｅ）パネル２２５を有する、単板式のＤＬＰ（米テキサス・インスツルメンツ社商標：Ｄｉｇｉｔａｌ  Ｌｉｇｈｔ  Ｐｒｏｃｅｓｓｉｎｇ）プロジェクタ装置である点で異なっている。図１に示すプロジェクタ装置１００と同じ構成要素については、簡単のため、同じ符号で示し、その説明を省略する。
【００８７】
ＤＭＤパネル２２５は、集光器２２１、レンズ２２２，２２３、カラーホイール２２４、投射レンズ２２６および回転駆動部２２７とともに光学ユニット２０４を構成している。
【００８８】
集光器２２１は、例えば、ロッドインテグレータからなり、ランプ１０３ａ、１０３ｂの出射光を集光する。回転駆動部２２７は、ステッピングモータを有し、マイコン３６からの制御信号ＣＮ７に基づき、ステッピングモータを駆動させてカラーホイール２２４を回転させる。
【００８９】
カラーホイール２２４は、２つのレンズ２２２，２２３の間、かつ光路上に配置されている。カラーホイール２２４には、例えば図６（ｂ）に示すように、３原色のＲ，Ｇ，Ｂの３つのフィルタに白色のＷフィルタを加えた計４つのフィルタセグメントが、それぞれ円周上に均等な角度（９０［°］）で分割配置されている。
【００９０】
ランプ１０３ａ、１０３ｂの出射光は、集光器２２１、レンズ２２２を介して高速で回転するカラーホイール２２４を透過させることにより、Ｒ，Ｇ，Ｂ，Ｗの４色の光を時分割でＤＭＤパネル２２５に照射させる。ＤＭＤパネル２２５は各色に対応したそれぞれの映像信号に従って内蔵のマイクロミラーが反射するようマイコン３６によって制御されている。そして、ＤＭＤパネル２２５で反射されたＲ、Ｇ、Ｂ、Ｗの４色の画像の光が、投射レンズ２２６からスクリーンに投射される。各色の画像は時系列に高速で切り替わるため、人間の目には、混合された色としてかつ目的とする投射画像として感知される。
【００９１】
このような単板式のＤＬＰプロジェクタ装置では、ランプに供給する交流電流の正負の切り替えタイミングを、回転するカラーホイールの色が切り替わるタイミングに同期させるのが一般的である。これは、同じ色が投射されている間に光束が変化するのと、色が切り替わるときに光束が変化するのとを比べてみた場合、色が切り替わるときの方が光束の変化が目立ち難いからである。
【００９２】
ここで、カラーホイール２２４において色が切り替わるタイミングとは、ランプからの出射光が、図６（ｂ）に示す、各色の境界線２２４ａ部分を透過するタイミングのことを意味している。
【００９３】
＜波形＞
図７は、第３の実施形態に係る制御信号、カラーホイール、ランプ電流およびランプの光束を示すタイミングチャートである。
【００９４】
制御信号ＣＮ７は、マイコン３６において、内部クロックＣＬＫをカウンタでカウントして、所定のカウント毎にハイレベルに、それ以外はローレベルになるよう生成される。回転駆動部２２７は、制御信号ＣＮ７がハイレベルのときにステッピングモータを駆動して、カラーホイール２２４を回転させる。この例では、制御信号ＣＮ７のハイレベル１回毎に、カラーホイール２２４が１５［°］回転される。
【００９５】
ここでは、カラーホイール２２４の回転周期と、ランプ電流ｌａ１，ｌａ２の周期とが等しくなるように、制御信号ＣＮ７と制御信号ＣＮ１，ＣＮ２とが調整されている。また、カラーホイール２２４の回転位相と、ランプ電流ｌａ１の位相とが一致するように、制御信号ＣＮ７と制御信号ＣＮ１とが調整されるとともに、カラーホイール２２４の回転位相に対し、ランプ電流ｌａ２の位相が９０［°］ずれるように、制御信号ＣＮ７と制御信号ＣＮ２とが調整されている。これら制御信号ＣＮ７、制御信号ＣＮ１，ＣＮ２は、同一の内部クロックＣＬＫに基づいて生成されるので同期していると言える。
【００９６】
このようにして、図７に示すように、ランプ電流ｌａ１，ｌａ２の正負の切り替えタイミングを、カラーホイール２２４の色が切り替わるタイミングに同期させている。これにより、ランプ電流ｌａ１，ｌａ２の正負の切り替えタイミングとカラーホイール２２４の色の切り替わるタイミングとがずれる場合と比べて、光束の変化が目立ち難くなる。
【００９７】
また、本実施形態においても、制御信号ＣＮ１、ＣＮ２の位相をずらしているので、ランプ１０３ａ、１０３ｂの全体としてみた場合に、ランプ電流ｌａ１，ｌａ２の正負の切り替えタイミングにおける光束の変化率を抑制することができる。
【００９８】
以上、本発明に係るプロジェクタ装置、これに用いられる高圧放電ランプの点灯装置、および高圧放電ランプの点灯方法について、実施形態に基づいて説明したが、本発明はこれらの実施形態に限られない。
【００９９】
例えば、以下のような変形例が考えられる。
＜変形例＞
（１）上記実施形態では、２灯式のプロジェクタ装置を一例として説明したが、本発明はこれに限定されず、４灯式や６灯式など多灯式のプロジェクタ装置に対しても採用することができる。この場合、ランプ毎に、ＤＣ／ＤＣコンバータおよびＤＣ／ＡＣインバータからなる交流電流生成部などが設けられる。
（２）また、上記実施形態では、３板式のＬＣＤプロジェクタ装置、または単板式のＤＬＰプロジェクタ装置を一例として説明したが、本発明はこれに限定されず、例えば、３板式のＤＬＰプロジェクタ装置や、３枚の反射型の液晶パネルを有する３板式のＬＣＯＳ（Ｌｉｑｕｉｄ  Ｃｒｙｓｔａｌ  Ｏｎ  Ｓｉｌｉｃｏｎ）プロジェクタ装置に対しても採用することができる。
（３）上記実施形態では、ランプ１０３ａ、１０３ｂに供給する交流電流の同期をとるため、同一の内部クロックＣＬＫに基づいてそれぞれの交流電流を生成する構成を示したが、これに限定するものではない。例えば、ランプ１０３ａ、１０３ｂに供給する交流電流を、別個の内部クロックＣＬＫに基づいて生成することもできる。この場合には、各内部クロックＣＬＫを同期させておく必要がある。
【０１００】
（４）第２の実施形態では、ランプに供給する交流電流の一例として、半周期中の終期区間ｋ１の電流値Ｉ１が、他の区間ｋ２の電流値Ｉ２よりも大きい波形の交流電流を用いたが、これに限定するものではない。例えば、図８（ａ）〜（ｅ）に示すような波形の交流電流を用いることができる。図８（ａ）には、半周期中の途中の区間の電流値が跳ね上げられ、それ以外の区間の電流値よりも大きい波形の交流電流が示されている。図８（ｂ）には、半周期中における電流値が、一時的に跳ね上がるのではなく、漸次大きくなる波形の交流電流が示されている。図８（ｃ）には、半周期中において、始期からの一部区間では電流値が漸次大きくなり、そのあと終期まで電流値が一定となる波形の交流電流が示されている。図８（ｄ）には、図８（ｃ）に示す波形に加え、さらに、半周期中の終期区間の電流値が跳ね上げられた交流電流が示されている。図８（ｅ）には、半周期中の一部区間の電流値が一時的に下げられた波形の交流電流が示されている。図８（ａ）〜（ｄ）に示す波形の交流電流を用いた場合には、電流値が最も高くなるタイミングが重複しないように位相をずらすことにより、全体の光束の変化を抑制することができる。一方、図８（ｅ）に示す波形の交流電流を用いた場合には、電流値が一時的に下げられた一部区間が重複しないように位相をずらすことにより、全体の光束の変化を抑制することができる。
【０１０１】
（５）また、ランプに供給する交流電流の周期を、２以上の異なる周期で組み合わせることもできる。例えば、例えば、図９（ａ）〜（ｃ）に示すような、低周波と高周波とが組み合わされた波形の交流電流を用いることができる。図９（ａ）には、低周波の半周期と、高周波の１周期とが交互に繰り返されている波形の交流電流が示されている。図９（ｂ）には、図９（ａ）に示す波形に加え、さらに、高周波の１周期中の半周期の電流値が跳ね上げられた交流電流が示されている。図９（ｃ）には、低周波の半周期と、高周波の１４周期とが交互に繰り返されるとともに、低周波の半周期中の終期区間の電流値が跳ね上げられ、かつ高周波において、半周期を1単位とした場合に、７単位毎に半周期の電流値が跳ね上げられた交流電流が示されている。このようにランプに供給する交流電流の周期が２以上の異なる周期で組み合わされた場合であっても、交流電流の正負の切り替えタイミングおよび電流値の跳ね上げタイミングが重複しないように位相をずらすことにより、全体の光束の変化を抑制することができる。
【０１０２】
（６）第３の実施形態では、カラーホイールが、３原色Ｒ，Ｇ，Ｂに白色Ｗを加えた４つのフィルタセグメントからなる構成を示したが、これに限定するものではなく、白色を加えず、３原色Ｒ，Ｇ，Ｂの３つのフィルタセグメントからなる構成であってもよい。また、カラーホイールが、３原色Ｒ，Ｇ，Ｂに、補色のイエロー、マゼンダ、シアンの３色を加えた６つのフィルタセグメントからなる構成とすることもできる。
【産業上の利用可能性】
【０１０３】
本発明は、高圧放電ランプを光源とするプロジェクタ装置、これに用いられる高圧放電ランプの点灯装置、および高圧放電ランプの点灯方法等に広く利用することができる。
【符号の説明】
【０１０４】
１１ａ，１１ｂ  ＤＣ／ＤＣコンバータ
１２ａ，１２ｂ  ＤＣ／ＡＣインバータ
３１ａ，３１ｂ  電流検出部
３２ａ，３２ｂ  電圧検出部
３３ａ，３３ｂ  電力演算部
３４ａ，３４ｂ  比較部
３５ａ，３５ｂ  ＰＷＭ信号生成部
３６    マイコン
１００    プロジェクタ装置
１０２ａ，１０２ｂ  交流電流生成部
１０３ａ，１０３ｂ  ランプ
１０４    光学ユニット
１０６    制御部
２００    プロジェクタ装置
２０４    光学ユニット
２２４    カラーホイール
２２４ａ  境界線
２２５    ＤＭＤパネル
２２７    回転駆動部
ＣＮ１,ＣＮ２，ＣＮ３，ＣＮ４，ＣＮ５，ＣＮ６，ＣＮ７    制御信号
Ｉ１，Ｉ２    電流値
ｋ１    終期区間（半周期中の一部区間）
ｋ２    それ以外の区間（半周期中のそれ以外の区間）
【図１】
0005260603.tif 000002
【図２】
0005260603.tif 000003
【図３】
0005260603.tif 000004
【図４】
0005260603.tif 000005
【図５】
0005260603.tif 000006
【図６】
0005260603.tif 000007
【図７】
0005260603.tif 000008
【図８】
0005260603.tif 000009
【図９】
0005260603.tif 000010